(57)【要約】【課題】シートに安定して波形状を付与できる装置を提供する。【解決手段】装置は、用紙１２の搬送路６５に設けられ、左右方向９に沿った複数のニップ位置ＮＰで用紙１２を挟持する搬送ローラ対５９と、ニップ位置ＮＰより搬送向き１５の下流に配置され、ノズル３９からインク滴を吐出する記録ヘッド３８と、搬送路６５におけるニップ位置ＮＰ及びノズル３９の間で用紙１２の上面に当接し、左右方向９に間隔を空けた複数の当接部材８１を有し、用紙１２に波形状を付与する波形状付与機構７５と、ニップ位置ＮＰより搬送向き１５の上流で、下方から搬送路６５内へ突出した第１位置及び第１位置より突出量が少ない第２位置に移動可能であり、第１位置へ付勢されたアーム１１２と、アーム１１２を検知する光学センサ１１３とを備える。左右方向９においてアーム１１２の一端部１１２Ａの位置は当接部材８１の下流端部８１Ｂの位置と重複していない。【選択図】図５
2017217894.tif 000002
【特許請求の範囲】
【請求項１】
シートが通過する搬送路に設けられており、シートの搬送向きと直交する幅方向に間隔を空けた複数のニップ位置においてシートを挟持して当該搬送向きに搬送する搬送部と、
上記搬送路における上記複数のニップ位置よりも上記搬送向きの下流に設けられており、上記搬送路における上記搬送向き及び上記幅方向と直交する直交方向の一方に配置されており、上記搬送路を搬送されるシートへ向けてノズルからインク滴を吐出する記録ヘッドと、
上記記録ヘッドと対向して設けられており、上記搬送路における上記直交方向の他方に配置されており、シートを支持するプラテンと、
上記搬送路における上記複数のニップ位置及び上記ノズルの間において、シートにおける上記ノズルと対向する第１面に当接し、上記幅方向に間隔を空けて設けられた複数の第１当接部を有し、シートに上記幅方向に沿った波形状を付与する波形状付与機構と、
上記搬送路における上記複数のニップ位置よりも上記搬送向きの上流において、上記直交方向の他方から一方へ向けて上記搬送路内へ突出した突出部を有し、第１位置、及び当該第１位置よりも当該突出部の上記搬送路内への突出量が少ない第２位置に移動可能であり、当該第１位置へ向けて付勢された移動部材と、
上記第１位置または上記第２位置の上記移動部材を検知するセンサと、を備え、
上記幅方向において、上記突出部の位置は、上記複数の第１当接部の位置と重複していないインクジェット記録装置。
【請求項２】
上記波形状付与機構は、上記幅方向において隣り合う上記複数の第１当接部の間に位置し、シートにおける上記第１面の裏の第２面に当接することによって上記複数の第１当接部と協同してシートに上記幅方向に沿った波形状を付与する第２当接部を更に有し、
上記幅方向において、上記突出部の位置は、上記第２当接部の位置と重複している請求項１に記載のインクジェット記録装置。
【請求項３】
上記幅方向において、上記突出部の位置は、上記複数のニップ位置と重複していない請求項１または２に記載のインクジェット記録装置。
【請求項４】
隣り合う上記複数のニップ位置の間の間隔のうち上記幅方向において上記突出部と対応する間隔は、隣り合う上記複数のニップ位置の間の間隔のうち上記幅方向において上記突出部と対応していない間隔よりも大きい請求項３に記載のインクジェット記録装置。
【請求項５】
上記突出部は、上記幅方向における上記搬送路の中央に配置されており、
上記複数の第１当接部は、上記直交方向に沿った視点において、上記幅方向における上記搬送路の中央を通り且つ上記搬送向きに沿って延びた仮想線に対して線対称に配置されている請求項１から４のいずれかに記載のインクジェット記録装置。
【請求項６】
上記搬送部は、駆動ローラと、当該駆動ローラに対向して配置されており、当該駆動ローラに従動する従動ローラと、を備える請求項１から５のいずれかに記載のインクジェット記録装置。
【請求項７】
上記駆動ローラは、シートの上記第１面に当接し、
上記従動ローラは、シートの上記第１面の裏の第２面に当接する請求項６に記載のインクジェット記録装置。
【請求項８】
上記従動ローラは、上記幅方向に間隔を空けて複数設けられている請求項６または７に記載のインクジェット記録装置。
【発明の詳細な説明】
【技術分野】
【０００１】
本発明は、ノズルからインクを吐出してシートに画像を記録するインクジェット記録装置に関する。
【背景技術】
【０００２】
従来より、記録ヘッドに設けられたノズルからインクを吐出してシートに画像を記録するインクジェット記録装置が知られている。インクジェット記録装置において、装置内部に形成された搬送路を搬送されているシートは、シートを支持しているプラテンから浮き上がってしまうことがある。シートの浮き上がりが記録ヘッドと対向する位置において発生すると、シートと記録ヘッドとの間隔が変化してしまい、シートに記録される画像の画質に影響を及ぼしてしまうおそれがある。
【０００３】
このような問題を解決するために、特許文献１には、搬送向きに搬送されるシートに対して、搬送向きと直交する幅方向に沿った波形状を付与するように構成されたインクジェット記録装置が開示されている。当該インクジェット記録装置は、シートに波形状を付与するために、複数の当接部を備えている。複数の当接部は、搬送路における搬送ローラ対よりもシートの搬送向きの下流であり且つノズルよりも搬送向きの上流において幅方向に間隔を空けて配置されており、シートの上面を押さえる。
【０００４】
また、当該インクジェット記録装置は、搬送路における搬送ローラ対よりも搬送向きの上流に、シートを検知するためのレジストセンサを備えている。レジストセンサは、下方から上方へ向けて搬送路内へ突出しており、上方へ付勢されている。
【先行技術文献】
【特許文献】
【０００５】
【特許文献１】特開２０１５−２４６０２号公報
【発明の概要】
【発明が解決しようとする課題】
【０００６】
特許文献１に開示されたインクジェット記録装置では、シートは、レジストセンサによって上方へ付勢される。これにより、シートは、レジストセンサによって付勢された部分において上方へ変形した状態となる。そのため、レジストセンサよりも搬送向きの下流において、当接部がシートの上面に当接すると、当接部の幅方向における位置によっては、シートに対して安定して波形状を付与できないおそれがあった。
【０００７】
本発明は、上記の事情に鑑みてなされたものであり、その目的は、シートに対して安定して波形状を付与できるインクジェット記録装置を提供することにある。
【課題を解決するための手段】
【０００８】
(1)  本発明に係るインクジェット記録装置は、シートが通過する搬送路に設けられており、シートの搬送向きと直交する幅方向に間隔を空けた複数のニップ位置においてシートを挟持して当該搬送向きに搬送する搬送部と、上記搬送路における上記複数のニップ位置よりも上記搬送向きの下流に設けられており、上記搬送路における上記搬送向き及び上記幅方向と直交する直交方向の一方に配置されており、上記搬送路を搬送されるシートへ向けてノズルからインク滴を吐出する記録ヘッドと、上記記録ヘッドと対向して設けられており、上記搬送路における上記直交方向の他方に配置されており、シートを支持するプラテンと、上記搬送路における上記複数のニップ位置及び上記ノズルの間において、シートにおける上記ノズルと対向する第１面に当接し、上記幅方向に間隔を空けて設けられた複数の第１当接部を有し、シートに上記幅方向に沿った波形状を付与する波形状付与機構と、上記搬送路における上記複数のニップ位置よりも上記搬送向きの上流において、上記直交方向の他方から一方へ向けて上記搬送路内へ突出した突出部を有し、第１位置、及び当該第１位置よりも当該突出部の上記搬送路内への突出量が少ない第２位置に移動可能であり、当該第１位置へ向けて付勢された移動部材と、上記第１位置または上記第２位置の上記移動部材を検知するセンサと、を備える。上記幅方向において、上記突出部の位置は、上記複数の第１当接部の位置と重複していない。
【０００９】
上記構成によれば、シートにおける突出部と当接する部分は上方へ変形する。また、シートに波形状が付与された場合、シートにおける第１当接部と当接している部分は下方へ変形して波形状の凹部となる。そして、上記構成によれば、幅方向において、突出部の位置は、複数の第１当接部の位置と重複していない。つまり、幅方向において、シートの上方へ変形する部分と、シートの下方へ変形する部分とは、異なる位置となる。これにより、シートに対して波形状を安定して付与できない事態を回避することができる。
【００１０】
(2)  上記波形状付与機構は、上記幅方向において隣り合う上記複数の第１当接部の間に位置し、シートにおける上記第１面の裏の第２面に当接することによって上記複数の第１当接部と協同してシートに上記幅方向に沿った波形状を付与する第２当接部を更に有する。上記幅方向において、上記突出部の位置は、上記第２当接部の位置と重複している。
【００１１】
上記構成によれば、シートにおける突出部と当接する部分は上方へ変形する。また、シートに波形状が付与された場合、シートにおける第２当接部と当接している部分は上方へ変形して波形状の凸部となる。そして、上記構成によれば、幅方向において、突出部の位置は、第２当接部の位置と重複している。つまり、幅方向において、シートの上方へ変形する部分同士が、略同位置となる。これにより、シートに対して波形状を安定して付与することができる。
【００１２】
(3)  上記幅方向において、上記突出部の位置は、上記複数のニップ位置と重複していない。
【００１３】
シートは、複数のニップ位置よりも搬送向きの上流において、突出部と当接して上方へ変形した状態となる。そして、上記構成によれば、幅方向において、突出部の位置は、複数のニップ位置と重複していないため、当該状態を崩すことなく、シートを複数のニップ位置よりも搬送向きの下流へ搬送することができる。
【００１４】
(4)  隣り合う上記複数のニップ位置の間の間隔のうち上記幅方向において上記突出部と対応する間隔は、隣り合う上記複数のニップ位置の間の間隔のうち上記幅方向において上記突出部と対応していない間隔よりも大きい。
【００１５】
上記構成によれば、隣り合う複数のニップ位置の間の間隔のうち幅方向において突出部と対応する間隔が大きい。そのため、突出部と当接して上方へ変形した状態を崩すことなく、シートを、複数のニップ位置よりも搬送向きの上流から複数のニップ位置よりも搬送向きの下流へ搬送することができる。
【００１６】
(5)  上記突出部は、上記幅方向における上記搬送路の中央に配置されている。上記複数の第１当接部は、上記直交方向に沿った視点において、上記幅方向における上記搬送路の中央を通り且つ上記搬送向きに沿って延びた仮想線に対して線対称に配置されている。
【００１７】
上記構成によれば、幅方向において複数の第１当接部が突出部を中心として均等に配置されている。これにより、シートに対して幅方向に沿った波形状を安定して付与することができる。
【００１８】
(6)  例えば、上記搬送部は、駆動ローラと、当該駆動ローラに対向して配置されており、当該駆動ローラに従動する従動ローラと、を備える。
【００１９】
(7)  例えば、上記駆動ローラは、シートの上記第１面に当接し、上記従動ローラは、シートの上記第１面の裏の第２面に当接する。
【００２０】
(8)  例えば、上記従動ローラは、上記幅方向に間隔を空けて複数設けられている。
【発明の効果】
【００２１】
本発明によれば、シートに対して安定して幅方向に沿った波形状を付与できる。
【図面の簡単な説明】
【００２２】
【図１】図１は、本発明の実施形態の一例である複合機１０の斜視図である。
【図２】図２は、プリンタ部１１の内部構造を模式的に示す縦断面図である。
【図３】図３は、図２のＩＩＩ−ＩＩＩ断面図であり、搬送ローラ対５９と検知部１１０とを示す。
【図４】図４は、図２のＩＶ−ＩＶ断面図であり、波形状付与機構７５とプラテン４２とを示す。
【図５】図５は、波形状付与機構７５と搬送ローラ対５９とプラテン４２と検知部１１０とを模式的に示す平面図である。
【図６】図６は、変形例における波形状付与機構７５と搬送ローラ対５９とプラテン４２と検知部１１０とを模式的に示す平面図である。
【発明を実施するための形態】
【００２３】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、開口１３が設けられている面を前面１４として前後方向８が定義され、複合機１０を前方から視て左右方向９が定義される。上下方向７、前後方向８、及び左右方向９は、互いに直交している。
【００２４】
［複合機１０の全体構造］
図１に示されるように、複合機１０（インクジェット記録装置の一例）は、薄型の直方体に概ね形成されている。複合機１０の下部にプリンタ部１１が設けられている。複合機１０は、ファクシミリ機能及びプリント機能などの各種の機能を有している。複合機１０は、プリント機能として、インクジェット方式で用紙１２（図２参照、シートの一例）の片面に画像を記録する機能を有している。なお、複合機１０は、用紙１２の片面及び両面に画像を記録するものであってもよい。
【００２５】
［給送トレイ２０］
図１に示されるように、プリンタ部１１の正面には、開口１３が形成されている。給送トレイ２０が、前後方向８に移動することによって、開口１３を介してプリンタ部１１に対して挿入及び脱抜可能である。給送トレイ２０は、上方が開放された箱形状の部材である。図２に示されるように、給送トレイ２０の底板２２は、用紙１２を重ねた状態で支持する。給送トレイ２０の前部の上方には、排出トレイ２１が支持されている。排出トレイ２１は、給送トレイ２０と一体に前後方向８に移動する。排出トレイ２１の上面には、記録部２４によって画像を記録された用紙１２が排出される。なお、排出トレイ２１は、プリンタ部１１に支持されていてもよい。
【００２６】
［給送部１６］
図２に示されるように、給送部１６は、記録部２４の下方に配置されている。給送部１６は、給送ローラ２５、給送アーム２６、駆動伝達機構２７、及び軸２８を備えている。給送ローラ２５は、給送アーム２６の先端部で回転可能に支持されている。給送アーム２６は、基端部に設けられた軸２８を中心として、矢印２９の方向に回動する。これにより、給送ローラ２５は、給送トレイ２０または給送トレイ２０に支持された用紙１２に対して、当接及び離間が可能である。
【００２７】
給送ローラ２５は、複数のギヤが噛合されてなる駆動伝達機構２７によって、給送モータ（不図示）の駆動力が伝達されて回転する。これにより、給送トレイ２０の底板２２に支持された用紙１２のうち、給送ローラ２５と当接している最上の用紙１２が、搬送路６５へ給送される。なお、駆動伝達機構２７は、複数のギヤが噛合されている形態に限らず、例えば軸２８と給送ローラ２５の軸とに架け渡されたベルトであってもよい。
【００２８】
［搬送路６５］
図２に示されるように、給送トレイ２０の後端部から搬送路６５が延出されている。搬送路６５は、用紙１２が通過する経路である。搬送路６５は、湾曲部３３と直線部３４とを備える。湾曲部３３は、上方へ向かいつつ後方から前方へＵターンするように延びている。直線部３４は、概ね前後方向８に沿って延びている。
【００２９】
湾曲部３３は、所定間隔を隔てて互いに対向する外ガイド部材１８と内ガイド部材１９とによって形成されている。外ガイド部材１８及び内ガイド部材１９は、図２における紙面と直交する方向である左右方向９（幅方向の一例）へ延設されている。直線部３４は、後述する搬送ローラ対５９、所定間隔を隔てて互いに対向する記録部２４とプラテン４２、及び後述する排出ローラ対４４によって形成されている。
【００３０】
給送トレイ２０に支持された用紙１２は、給送ローラ２５によって湾曲部３３を搬送されて、搬送ローラ対５９に到達する。搬送ローラ対５９に挟持された用紙１２は、直線部３４を記録部２４へ向けて前方へ搬送される。記録部２４の直下に到達した用紙１２は、記録部２４により画像を記録される。画像が記録された用紙１２は、直線部３４を前方へ搬送されて排出トレイ２１に排出される。以上より、用紙１２は、図２に一点鎖線の矢印で示される搬送向き１５に沿って搬送される。なお、搬送向き１５は、左右方向９と直交している。
【００３１】
［記録部２４］
図２に示されるように、記録部２４は、直線部３４の上方に配置されている。直線部３４の下方且つ記録部２４が有する記録ヘッド３８と対向する位置には、プラテン４２が配置されている。つまり、プラテン４２は、直線部３４の下方に配置されている。以上より、記録部２４は、直線部３４における上下方向７（直交方向の一例）の一方に配置されており、プラテン４２は、直線部３４における上下方向７の他方に配置されている。
【００３２】
プラテン４２は、前後方向８及び左右方向９の長さが上下方向７の長さよりも長い平板形状の部材である。図５に示されるように、プラテン４２は、その上面４３に、複数のリブ７６（第２当接部の一例）を備えている。各リブ７６は、前後方向８に延びている。リブ７６は、左右方向９に間隔を空けて設けられている。なお、本実施形態において、リブ７６は５本設けられているが、リブ７６の本数は５本に限らない。
【００３３】
図４に示されるように、プラテン４２は、リブ７６の上端によって搬送路６５の直線部３４を搬送向き１５に搬送される用紙１２を支持する。つまり、リブ７６は、用紙１２の下面（用紙１２の裏面）と当接する。用紙１２の下面は、第２面の一例である。なお、プラテン４２は、用紙１２を支持可能であるならば、平板形状でなくてもよい。
【００３４】
図２に示されるように、記録部２４は、キャリッジ４０と記録ヘッド３８とを備えている。キャリッジ４０は、前後方向８に間隔を空けて配置された２つのガイドレール５６、５７によって左右方向９に沿って移動可能に支持されている。ガイドレール５６は、記録ヘッド３８よりも搬送向き１５の上流に配置されている。ガイドレール５７は、記録ヘッド３８よりも搬送向き１５の下流に配置されている。ガイドレール５６、５７は、左右方向９において搬送路６５の直線部３４の外方に配置された一対のサイドフレーム（不図示）によって支持されている。キャリッジ４０は、キャリッジ駆動モータ（不図示）から駆動力を付与されることにより移動する。
【００３５】
記録ヘッド３８は、キャリッジ４０に搭載されている。記録ヘッド３８には、インクカートリッジ（不図示）からインクが供給される。記録ヘッド３８の下面には、複数のノズル３９が形成されている。キャリッジ４０が左右方向９へ移動しているときに、記録ヘッド３８は、ノズル３９からインク滴をプラテン４２へ向けて吐出する。これにより、直線部３４を搬送向き１５へ搬送されてプラテン４２に支持されている用紙１２に画像が記録される。
【００３６】
［搬送ローラ対５９及び排出ローラ対４４］
図２に示されるように、直線部３４における記録ヘッド３８よりも搬送向き１５の上流には、搬送ローラ対５９（搬送部の一例）が配置されている。直線部３４における記録ヘッド３８よりも搬送向き１５の下流には、排出ローラ対４４が配置されている。
【００３７】
搬送ローラ対５９は、搬送ローラ６０（駆動ローラの一例）と、搬送ローラ６０の下方に搬送ローラ６０と対向して配置されたピンチローラ６１（従動ローラの一例）とを備えている。
【００３８】
図３に示されるように、搬送ローラ６０は、左右方向９へ延びた円柱状の部材である。搬送ローラ６０は、一対のサイドフレーム（不図示）によって、左右方向９に沿った軸線６６を中心として回転可能に支持されている。
【００３９】
ピンチローラ６１は、左右方向９に間隔を空けて複数設けられている。本実施形態では、ピンチローラ６１は４個設けられているが、ピンチローラ６１の数は４個に限らない。各ピンチローラ６１は、ローラホルダ（不図示）によって、左右方向９に沿った軸線６７を中心として回転可能に支持されている。各ピンチローラ６１は、コイルばねなどの弾性部材（不図示）によって搬送ローラ６０に押圧されている。
【００４０】
搬送ローラ６０は用紙１２の上面（用紙１２の表面）と当接する。用紙１２の上面は、記録部２４のノズル３９と対向する面であり、第１面の一例である。各ピンチローラ６１は用紙１２の下面と当接する。これにより、搬送ローラ対５９は用紙１２を挟持可能である。
【００４１】
上述したように、ピンチローラ６１は、左右方向９に間隔を空けて４個設けられている。そのため、図３及び図５に示されるように、搬送ローラ６０とピンチローラ６１とは、左右方向９に間隔を空けた４個のニップ位置ＮＰにおいて、用紙１２を挟持する。ニップ位置ＮＰは、搬送ローラ対５９に用紙１２が挟持されていない状態において、搬送ローラ６０とピンチローラ６１とが当接している領域である。上述したように、搬送ローラ対５９は、直線部３４における記録ヘッド３８よりも搬送向き１５の上流に配置されている。よって、ニップ位置ＮＰは、直線部３４における記録ヘッド３８よりも搬送向き１５の上流に配置されている。
【００４２】
図３及び図５に示されるように、隣り合う複数のニップ位置ＮＰの間の３つの間隔Ｉ１、Ｉ２、Ｉ３のうち、左右方向９の中央に位置する間隔Ｉ２は、左右方向９の両外方に位置する間隔Ｉ１、Ｉ３よりも大きい。換言すると、間隔Ｉ２の左右方向９の長さは、間隔Ｉ１、Ｉ３の左右方向９の長さよりも長い。なお、間隔Ｉ２の左右方向９の長さは、間隔Ｉ１、Ｉ３の左右方向９の長さ以下であってもよい。
【００４３】
図２に示されるように、排出ローラ対４４は、排出ローラ６２と、排出ローラ６２の上方に排出ローラ６２と対向して配置された拍車６３とを備えている。
【００４４】
排出ローラ６２は、左右方向９に延びた軸６４と、左右方向９に間隔を空けて軸６４を覆うように取り付けられたローラ部５８とを備えている。排出ローラ６２は、一対のサイドフレーム（不図示）によって、回転可能に支持されている。
【００４５】
拍車６３は、左右方向９に間隔を空けて複数設けられている。各拍車６３は、排出ローラ６２のローラ部５８と対向する位置に設けられている。拍車６３は、コイルばねなどの弾性部材（不図示）によって排出ローラ６２のローラ部５８に押圧されている。排出ローラ対４４は、用紙１２を挟持可能である。
【００４６】
搬送ローラ６０及び排出ローラ６２は、搬送モータから駆動力を付与されて回転する。搬送ローラ対５９に用紙１２が挟持されている状態で搬送ローラ６０が回転すると、当該用紙１２は、搬送ローラ対５９によって搬送向き１５に搬送され、プラテン４２上に搬送される。排出ローラ対４４に用紙１２が挟持されている状態で排出ローラ６２が回転すると、当該用紙１２は、排出ローラ対４４によって搬送向き１５に搬送され、排出トレイ２１上に搬送される。
【００４７】
［当接部材８１］
図２に示されるように、直線部３４におけるノズル３９よりも搬送向き１５の上流には、当接部材８１が配置されている。当接部材８１は、合成樹脂（例えばポリアセタール（ＰＯＭ））により成形されている。
【００４８】
図４に示されるように、当接部材８１は、左右方向９に間隔を空けて複数配置されている。本実施形態において、当接部材８１の数は６個であるが、６個以外の数であってもよい。なお、各当接部材８１は、独立していてもよいし、互いに連結していてもよい。
【００４９】
図２に示されるように、各当接部材８１は、その搬送向き１５の上流端部８１Ａにおいて、嵌合などの公知の手段によってガイドレール５６に取り付けられている。各当接部材８１は、上流端部８１Ａから下方且つ前方に湾曲している。これにより、各当接部材８１は、複数のノズル３９のうち最も上流に配置されたノズル３９の搬送向き１５の上流近傍まで延設されている。また、各当接部材８１は、上下方向７において、プラテン４２へ向かって延設されている。各当接部材８１の搬送向き１５の下流端部８１Ｂ（第１当接部の一例）は、プラテン４２に支持された用紙１２の上面と当接可能である。下流端部８１Ｂは、直線部３４におけるニップ位置ＮＰとノズル３９との間に位置している。
【００５０】
［波形状付与機構７５］
図４に示されるように、波形状付与機構７５は、上述した複数のリブ７６と複数の当接部材８１とを備えている。波形状付与機構７５は、用紙１２に左右方向９に沿った波形状を付与するものである。
【００５１】
各リブ７６は、左右方向９において隣り合う当接部材８１の下流端部８１Ｂの間に位置している。各リブ７６の上端は、各当接部材８１の下流端部８１Ｂの下端よりも上方に位置している。換言すると、各リブ７６における用紙１２の下面と当接する部分は、各当接部材８１の下流端部８１Ｂにおける用紙１２の上面と当接する部分よりも上方に位置している。これにより、各リブ７６に支持され且つ各当接部材８１の下流端部８１Ｂに当接された用紙１２は、左右方向９に連続する波形状となる。つまり、複数のリブ７６は、複数の当接部材８１と協同して用紙１２に左右方向９に沿った波形状を付与する。
【００５２】
［検知部１１０］
図２に示されるように、搬送路６５におけるニップ位置ＮＰよりも搬送向き１５の上流には、検知部１１０が設けられている。図２及び図３に示されるように、検知部１１０は、軸１１１と、軸１１１を中心に回動可能なアーム１１２（移動部材の一例）と、光を照射する発光素子１１７及び発光素子１１７から照射された光を受光する受光素子１１８を有する光学センサ１１３（センサの一例）と、付勢部材１１４と、を備えている。
【００５３】
アーム１１２は、図２に実線で示される第１位置と、図２に破線で示される第２位置とに回動可能である。
【００５４】
第１位置のアーム１１２の一端部１１２Ａ（突出部の一例）は、内ガイド部材１９から外ガイド部材１８へ向けて搬送路６５内に突出している。第１位置のアーム１１２の一端部１１２Ａの突出先端は、外ガイド部材１８の近傍まで突出している。
【００５５】
第２位置のアーム１１２の一端部１１２Ａは、第１位置と同様に、内ガイド部材１９から外ガイド部材１８へ向けて搬送路６５内に突出しているが、第２位置のアーム１１２の一端部１１２Ａの突出先端は、外ガイド部材１８の近傍まで突出していない。つまり、第２位置のアーム１１２の一端部１１２Ａの搬送路６５内への突出量は、第１位置のアーム１１２の搬送路６５内への突出量よりも少ない。なお、第２位置のアーム１１２の一端部１１２Ａの搬送路６５内への突出量は、ゼロであってもよい。つまり、第２位置のアーム１１２の一端部１１２Ａは、搬送路６５内へ突出していなくてもよい。
【００５６】
光学センサ１１３は、アーム１１２を検知するものである。光学センサ１１３の発光素子１１７と受光素子１１８とは、第１位置のアーム１１２の他端部１１２Ｂを挟むように配置されている。なお、発光素子１１７と受光素子１１８とは、第２位置のアーム１１２の他端部１１２Ｂを挟むように配置されていてもよい。また、アーム１１２を検知するのは光学センサ１１３に限らず、例えば機械式のセンサであってもよい。
【００５７】
付勢部材１１４は、コイルばねである。付勢部材１１４の一端は、アーム１１２の他端部１１２Ｂに取り付けられている。付勢部材１１４の他端は、プリンタ部１１のフレーム１１５に取り付けられている。付勢部材１１４は、アーム１１２を第２位置から第１位置へ付勢するように配置されている。本実施形態では、付勢部材１１４は、アーム１１２が第１位置の状態において自然長であり、アーム１１２が第２位置の状態において自然長よりも長くなる。これにより、付勢部材１１４は、第２位置のアーム１１２に対して、第１位置への付勢力を付与する。なお、付勢部材１１４は、アーム１１２を付勢するものであればコイルばねに限らず、例えば板ばねであってもよい。また、アーム１１２は、付勢部材１１４によらずに第１位置へ向けて付勢されてもよい。例えば、アーム１１２における軸１１１に対する一方寄りの部分と、アーム１１２における軸１１１に対する他方寄りの部分との重さを異なる重さとすることによって、アーム１１２が自重によって第１位置へ向けて付勢されるようにしてもよい。
【００５８】
アーム１１２の一端部１１２Ａに外力が加えられていないとき、アーム１１２は第１位置である。第１位置のアーム１１２の他端部１１２Ｂは、光学センサ１１３の発光素子１１７から受光素子１１８に至る光路に進入して、当該光路を通る光を遮断している。このとき、光学センサ１１３から制御部（不図示）にローレベルの信号が出力される。つまり、光学センサ１１３は、第１位置のアーム１１２を検知したときにローレベルの信号を出力する。ここで、制御部は、ＣＰＵやメモリなどで構成されており、メモリに記憶されたプログラムをＣＰＵが実行することによって、複合機１０の動作を制御するものである。
【００５９】
アーム１１２の一端部１１２Ａが搬送される用紙１２の先端に押されると、アーム１１２は第１位置から第２位置へ矢印１１６の向きへ回動する。アーム１１２が第２位置へ回動すると、アーム１１２の他端部１１２Ｂは上記光路から外れて、上記光路に光が通る。このとき、光学センサ１１３から制御部にハイレベルの信号が出力される。つまり、光学センサ１１３は、第２位置のアーム１１２を検知したときにハイレベルの信号を出力する。制御部は、光学センサ１１３からの信号に基づいて、用紙１２の搬送向き１５の下流端（用紙１２の先端）、用紙１２の搬送向き１５の上流端（用紙１２の後端）を検知する。
【００６０】
なお、用紙１２がアーム１１２を通過することによって、用紙１２の後端がアーム１１２から離間すると、アーム１１２は、付勢部材１１４に付勢されて矢印１１６と逆向きへ回動して第１位置へ戻る。
【００６１】
［左右方向９におけるアーム１１２の位置］
図３及び図５に示されるように、左右方向９において、アーム１１２の一端部１１２Ａの位置は、間隔Ｉ２の範囲に含まれる。換言すると、左右方向９において、間隔Ｉ２は、アーム１１２と対応している。ここで、間隔Ｉ２は、上述したように、隣り合う複数のニップ位置ＮＰの間の３つの間隔Ｉ１、Ｉ２、Ｉ３のうち、左右方向９の中央に位置する間隔である。つまり、左右方向９において、アーム１１２の一端部１１２Ａの位置は、複数のニップ位置ＮＰと重複していない。また、左右方向９において、アーム１１２の一端部１１２Ａは、間隔Ｉ２、Ｉ３よりも左右方向９に長い間隔Ｉ１と対応している。
【００６２】
図５に示されるように、左右方向９において、アーム１１２の一端部１１２Ａの位置は、隣り合う当接部材８１の下流端部８１Ｂの間である。つまり、左右方向９において、アーム１１２の一端部１１２Ａの位置は、当接部材８１の下流端部８１Ｂの位置と重複していない。
【００６３】
図５に示されるように、左右方向９において、アーム１１２の一端部１１２Ａの位置は、リブ７６の位置と重複している。
【００６４】
図５に示されるように、アーム１１２の一端部１１２Ａは、左右方向９における直線部３４の中央に配置されている。また、上下方向７に沿った視点において、６個の当接部材８１の下流端部８１Ｂは、仮想線７４に対して線対称に配置されている。仮想線７４は、左右方向９における直線部３４の中央を通り且つ前後方向８（搬送向き１５）に沿って延びた線である。
【００６５】
また、５本のリブ７６のうち、左右方向９の中央に配置されたリブ７６は、左右方向９における直線部３４の中央、つまり仮想線７４上に位置している。また、５本のリブ７６のうち、左右方向９の中央以外に配置された４本のリブ７６は、仮想線７４に対して線対称に配置されている。また、４個のピンチローラ６１は、仮想線７４に対して線対称に配置されている。
【００６６】
なお、アーム１１２の一端部１１２Ａは、左右方向９における直線部３４の中央以外に配置されていてもよい。また、当接部材８１の下流端部８１Ｂ、リブ７６、及びピンチローラ６１は、仮想線７４に対して線対称に配置されていなくてもよい。
【００６７】
［実施形態の効果］
本実施形態によれば、用紙１２におけるアーム１１２の一端部１１２Ａと当接する部分は、付勢部材１１４に付勢されたアーム１１２の一端部１１２Ａに押されて上方へ変形する。また、用紙１２に波形状が付与された場合、用紙１２における当接部材８１の下流端部８１Ｂと当接している部分は下方へ変形して波形状の凹部となる。そして、上記実施形態によれば、左右方向９において、アーム１１２の一端部１１２Ａの位置は、複数の当接部材８１の下流端部８１Ｂの位置と重複していない。つまり、左右方向９において、用紙１２の上方へ変形する部分と、用紙１２の下方へ変形する部分とは、異なる位置となる。これにより、用紙１２に対して波形状を安定して付与できない事態を回避することができる。
【００６８】
また、本実施形態によれば、用紙１２におけるアーム１１２の一端部１１２Ａと当接する部分は、付勢部材１１４に付勢されたアーム１１２の一端部１１２Ａに押されて上方へ変形する。また、用紙１２に波形状が付与された場合、用紙１２におけるリブ７６と当接している部分は上方へ変形して波形状の凸部となる。そして、上記実施形態によれば、左右方向９において、アーム１１２の一端部１１２Ａの位置は、リブ７６の位置と重複している。つまり、左右方向９において、用紙１２の上方へ変形する部分同士が、略同位置となる。これにより、用紙１２に対して波形状を安定して付与することができる。
【００６９】
また、本実施形態によれば、用紙１２は、複数のニップ位置ＮＰよりも搬送向き１５の上流において、アーム１１２の一端部１１２Ａと当接して上方へ変形した状態となる。そして、上記実施形態によれば、左右方向９において、アーム１１２の一端部１１２Ａの位置は、複数のニップ位置ＮＰと重複していないため、当該状態を崩すことなく、用紙１２を複数のニップ位置ＮＰよりも搬送向き１５の下流へ搬送することができる。
【００７０】
また、本実施形態によれば、隣り合う複数のニップ位置ＮＰの間の間隔のうち左右方向９においてアーム１１２の一端部１１２Ａと対応する間隔が大きい。そのため、アーム１１２の一端部１１２Ａと当接して上方へ変形した状態を崩すことなく、用紙１２を、複数のニップ位置ＮＰよりも搬送向き１５の上流から複数のニップ位置ＮＰよりも搬送向き１５の下流へ搬送することができる。
【００７１】
［変形例］
上記実施形態では、左右方向９において、アーム１１２の一端部１１２Ａの位置は、リブ７６の位置と重複していた。しかし、図６に示すように、左右方向９において、アーム１１２の一端部１１２Ａの位置は、リブ７６の位置と重複していなくてもよい。
【００７２】
上記実施形態では、左右方向９において、アーム１１２の一端部１１２Ａの位置は、間隔Ｉ２の範囲に含まれていたが、アーム１１２の一端部１１２Ａの位置は、間隔Ｉ１、Ｉ３の範囲に含まれていてもよい。
【００７３】
上記実施形態では、アーム１１２は１本のみ配置されていたが、アーム１１２は複数本配置されていてもよい。例えば、アーム１１２は３本配置されており、３本のアーム１１２のそれぞれが間隔Ｉ１、Ｉ２、Ｉ３に配置されていてもよい。
【００７４】
上記実施形態では、左右方向９において、アーム１１２の一端部１１２Ａの位置は、ニップ位置ＮＰの範囲に含まれていてもよい。つまり、左右方向９において、アーム１１２の一端部１１２Ａの位置は、間隔Ｉ１、Ｉ２、Ｉ３の範囲に含まれていなくてもよい。
【００７５】
上記実施形態では、ピンチローラ６１は、左右方向９に間隔を空けて複数設けられていたが、ピンチローラ６１は複数でなくてもよい。この場合、ピンチローラ６１は、左右方向９に延びた軸と、左右方向９に間隔を空けて当該軸を覆うように取り付けられたローラ部とを備えている。そして、当該ローラ部の各々が搬送ローラ６０と当接することによって、搬送ローラ６０とピンチローラ６１とは、左右方向９に間隔を空けた複数のニップ位置において、用紙１２を挟持する。
【００７６】
上記実施形態では、波形状付与機構７５は当接部材８１とリブ７６とで構成されており、当接部材８１とリブ７６とが協同して用紙１２に波形状を付与していた。しかし、用紙１２に波形状を付与するのは、当接部材８１やリブ７６に限らない。例えば、当接部材８１の代わりに、拍車ローラが用紙１２の上面と当接してもよい。また、例えば、リブ７６の代わりに、左右方向９に間隔を空けて複数配置された突起が用紙１２の下面と当接してもよい。
【００７７】
上記実施形態では、アーム１１２は回動することによって第１位置と第２位置とに移動したが、アーム１１２は回動以外によって移動してもよい。例えば、アーム１１２は、アーム１１２の上下方向７に沿ってスライドすることによって移動してもよい。
【００７８】
アーム１１２は、図２、図３、図５、及び図６に示された形状に限らず、用紙１２と当接して移動可能であり且つ当該移動による位置変化を検知されることが可能な形状であれば、任意の形状をとることができる。
【００７９】
上記実施形態では、ピンチローラ６１が搬送ローラ６０の下方に搬送ローラ６０と対向して配置されていたが、搬送ローラ６０とピンチローラ６１の配置は上下逆であってもよい。つまり、搬送ローラ６０がピンチローラ６１の下方にピンチローラ６１と対向して配置されていてもよい。
【００８０】
上記実施形態では、用紙１２はローラ対（搬送ローラ対５９及び排出ローラ対４４）によって搬送されていたが、用紙１２を搬送するのはローラ対に限らない。例えば、用紙１２は、搬送路６５に配置されたベルトによって搬送されてもよい。つまり、搬送部は、ローラ対に限らず、例えばベルトであってもよい。
【符号の説明】
【００８１】
７・・・上下方向（直交方向）
９・・・左右方向（幅方向）
１０・・・複合機（インクジェット記録装置）
１２・・・用紙（シート）
１５・・・搬送向き
３８・・・記録ヘッド
３９・・・ノズル
４２・・・プラテン
５９・・・搬送ローラ対（搬送部）
６５・・・搬送路
７５・・・波形状付与機構
８１・・・当接部材
８１Ｂ・・・下流端部（第１当接部）
１１２・・・アーム
１１２Ａ・・・一端部（突出部）
１１３・・・光学センサ（センサ）
ＮＰ・・・ニップ位置
【図１】
2017217894.tif 000003
【図２】
2017217894.tif 000004
【図３】
2017217894.tif 000005
【図４】
2017217894.tif 000006
【図５】
2017217894.tif 000007
【図６】
2017217894.tif 000008